(57)【要約】【課題】雲台システムからの位置情報に基づく文字多重による放送を番組内容ごとに設定することにより、多重する文字の間違いを無くす雲台システムを提供すること。【解決手段】遠隔操作が可能な雲台と、前記雲台を遠隔操作する操作卓と、文字情報を記憶する文字情報記憶手段と、からなり、前記文字情報記憶手段は、前記雲台からの同一情報に対して２つ以上の文字情報を記憶可能とすることを特徴とする。【選択図】図１
2017204793.tif 000002
【特許請求の範囲】
【請求項１】
遠隔操作が可能な雲台と、
前記雲台を遠隔操作する操作卓と、 
文字情報を記憶する文字情報記憶手段と、 
からなり、 
前記文字情報記憶手段は、前記雲台からの同一情報に対して２つ以上の文字情報を記憶可能とすることを特徴とする雲台システム。
【請求項２】
雲台からの映像に対し放送目的に応じて前記文字情報を選択するための文字情報選択手段を有することを特徴とする請求項１に記載の雲台システム。 
【請求項３】
前記雲台の前記情報が、パン、チルト、ズーム、フォーカス、ＩＲＩＳの位置情報のいずれかの組み合わせであることを特徴とする請求項１又は請求項２に記載の雲台システム。 
【請求項４】
前記雲台からの前記位置情報に対して範囲を考慮して前記文字情報を取得することを特徴とする請求項２又は請求項３に記載の雲台システム。 
【請求項５】
前記文字記憶手段がサーバーであることを特徴とする請求項１乃至請求項４の何れか一項に記載の雲台システム。 
【請求項６】
前記文字記憶手段が前記雲台に存在することを特徴とする請求項１乃至請求項４の何れか一項に記載の雲台システム。 
【請求項７】
前記文字記憶手段が前記操作卓に存在することを特徴とする請求項１乃至請求項４の何れか一項に記載の雲台システム。 
【請求項８】
前記文字情報選択手段が番組表であることを特徴とする請求項５乃至請求項７の何れか一項に記載の雲台システム。 
【請求項９】
前記文字情報選択手段が番組表であるときに前記文字情報選択手段を手動操作で切り替えられることを特徴とする請求項８に記載の雲台システム。
【発明の詳細な説明】
【技術分野】
【０００１】
本発明は、雲台システムに関し、特に映像への文字重畳に関する。
【背景技術】
【０００２】
映像に文字情報を付加することにより、視聴者が映像内容を詳しく理解することができるようになっている。ＶＴＲによる放送では放送番組内容に応じて映像を確認しながら文字を付加して行くため、映像にマッチした文字が視聴者に供給することが可能である。しかし生放送においては映像に合わせて、リアルタイムでオペレータが文字を付加するため、似たような映像が存在する場合間違った情報を与えてしまい、文字変換を誤ってしまうことが起こっている。 
【０００３】
そのため、パン・チルト可能なカメラシステム、例えばお天気カメラや監視カメラなど、では、そのパン、チルト、ズームなどの位置情報に合わせてあらかじめ文字情報を用意しおき、必要に応じてパン、チルト、ズームなどの位置情報に基づいた文字情報を取得し、映像に合成して放送する技術が公開されている。 
【０００４】
特許文献１には、現在のパン・チルト情報と基準方向の差分情報に基づいて表示位置を変更する技術が開示されている。特許文献２には、カメラが撮影する範囲に基づいて、データベースからタグ情報を取得し、映像にタグ情報を合成する技術が開示されている。 
【先行技術文献】
【特許文献】
【０００５】
【特許文献１】特許第４９８８４７９号公報
【特許文献２】特開２０１２−５４７２７号公報
【発明の概要】
【発明が解決しようとする課題】
【０００６】
近年、映像に文字情報を付加することが増えてきている。これは解説者などの音声による説明が聞き取りにくい場合やあまり聞いたことがない用語に対して視聴者が映像内容をよりよく理解することが可能なるためである。
【０００７】
この文字情報の付加は、カメラのパン、チルト、ズームなどの位置情報に基づいてデータベースより取得し、映像に文字を重畳するのであるが、ある位置情報に対して決められた情報が蓄積されているため、放送番組の内容にかかわらず同じ文字情報を重畳することになる。そのため同じ映像に対してニュース番組やバラエティー番組など視聴者が見ている番組内容に最適な文字情報が重畳されないという問題点がある。
【０００８】
さらに番組内容に応じて文字情報を設定しなければならないため煩雑な操作が必要となり、また新たに文字情報を設定すると前回設定した文字情報が消えてしまうという問題端がある。
【０００９】
本発明は、上記のような点に鑑みてなされたものであり、雲台からの映像がカメラのパン、チルト、ズームなどの位置情報が同じであっても番組内容によって視聴者が望む文字情報を重畳することが可能になることを目的とする。
【課題を解決するための手段】
【００１０】
上記目的を達成するために、本発明に係る雲台システムは、
遠隔操作が可能な雲台と、 
前記雲台を遠隔操作する操作卓と、 
文字情報を記憶する文字情報記憶手段と、 
からなり、
前記文字情報記憶手段は、前記雲台からの同一情報に対して２つ以上の文字情報を記憶可能とすることを特徴とする。
【発明の効果】
【００１１】
本発明によれば、雲台システムからの位置情報に基づいて映像に重畳する文字を番組内容ごとに設定するため、同じ位置情報に対して放送番組ごとに重畳文字を設定しなおすことがなくなり、文字重畳した番組を効率よく放送することが可能となる。
【図面の簡単な説明】
【００１２】
【図１】第１の実施例におけるシステム図
【図２（ａ）】同じ画面による異なる文字情報例
【図２（ｂ）】同じ画面による異なる文字情報例
【図３】文字情報記憶部にサーバーを用いた構成例
【図４】文字情報記憶部を操作部に構成した例
【図５】文字情報記憶部を雲台部に構成した例
【図６】文字情報選択部を操作部に構成した例
【図７】同じ雲台情報に基づく文字情報例
【図８】雲台情報に幅を持たせた時の文字情報例
【図９】番組表（スケジュール表）例
【発明を実施するための形態】
【００１３】
以下に、本発明の好ましい実施の形態を、添付の図面に基づいて詳細に説明する。
【００１４】
［実施例１］
図１は本発明の実施形態にかかわる全体ブロック図である。
【００１５】
遠隔操作可能な雲台部１０１は遠隔操作を行う操作部１０２に接続され、雲台部１０１は操作部１０２による遠隔操作が可能となっている。画像処理部１０３は雲台部１０３および文字情報記憶部１０５に接続され、画像処理部１０３は雲台部１０１からの映像および雲台情報を取得する。ここで雲台情報はパン位置情報、チルト位置情報、ズームレンズ位置情報、フォーカスレンズ位置情報、ＩＲＩＳ位置情報の組み合わせとする。
【００１６】
また文字情報記憶部１０５は文字情報選択部１０６に接続され、文字情報選択部１０６からの指令および雲台情報に基づいて、文字情報を画像処理部１０３に送るようになっている。画像処理部１０３は文字情報記憶部１０５から取得した文字情報と雲台部１０１からの映像に文字情報を重畳し表示部１０４に映像を送ることで雲台部１０１からの映像および重畳文字を見ることできる。
【００１７】
図２を用いて、番組内容に基づく文字重畳について説明をする。
【００１８】
視聴者は見ている番組内容に応じて必要な情報が異なっている。例えば、報道番組では映像に対する一般的な地名、また旅番組では映像に対する具体的な名称が好まれる。そこで報道番組の映像２０１と旅番組の映像２０２で同じ映像を使用する場合、図２（ａ）では、報道番組では映像に対する一般的な地名（この例では日光）、旅番組では映像の具体的な場所（この例では男体山）、を表示することで、視聴者は番組内容に応じた文字情報を取得することができる。
【００１９】
また図２（ｂ）のビル街の映像において、報道番組の映像２６１の文字情報は「新宿」となっており、同じ画面のグルメ番組の映像２６２では「割烹 ＊＊＊」となっていて、ズームインすることでお店のアップされた映像２６３が映し出されることでより具体的なお店の内容が分かるように放送されることになる。これはグルメ番組を見ている視聴者は「新宿」という地名より具体的な店名が好まれるため、同じ画面でも異なる文字情報を表示することが必要となるためである。
【００２０】
図３を用いて文字情報記憶部１０５がサーバーで構成されている場合について説明する。基本構成は図１と同様で文字情報記憶部１０５がサーバー３０１で構成されている。その他は図１と同様のため説明は省略する。
【００２１】
文字情報記憶部１０５がサーバー３０１で構成されることにより、画像処理部１０３は雲台部１０１からの雲台情報に基づいてサーバー３０１にアクセスを行い、文字情報選択部１０６により指定された放送番組に応じた文字情報を取得することができる。
【００２２】
図４を用いて文字情報記憶部１０５が操作部１０２に存在する場合について説明する。基本構成は図１と同様で文字情報記憶部１０５が操作部１０２に存在している構成となっている。その他は図１と同様のため説明は省略する。
【００２３】
文字情報記憶部１０５が例えばネットワーク等を利用して取得する場合、取得するまでの時間はネットワークトラフィックに依存する。このとき生放送での文字重畳において遅れが発生する可能性があり、文字が遅れて表示されると視聴者に違和感を与えることになる。
【００２４】
そこで文字情報記憶部１０５を操作部に構成することによりネットワークトラフィックに依存せずに画像処理部１０３へ文字情報を送ることが可能となる。文字重畳の遅れがなくなることで視聴者に違和感のない文字重畳映像を送ることができる。
【００２５】
図５を用いて、文字情報記憶部１０５が雲台部１０１に存在する場合について説明する。
【００２６】
ネットワークなどの回線上に雲台部ａ５０１、雲台部ｂ５０２、雲台部ｎ５０３、操作部ａ５２１、操作部ｂ５２２、操作部ｍ５２３のように複数の雲台部と操作部が存在し操作部と雲台部との組み合わせを自由に設定できるような構成において、操作部ａ５２１が雲台部ａ５０１を遠隔操作している場合、文字情報記憶部からの情報を取得する際に別の雲台部、例えば雲台部ｂ５０２の映像に対する文字情報を取得する可能性がある。
【００２７】
このとき映像に重畳する文字情報は目的とする文字情報とは異なることになってしまう。これを防止するために雲台部ａ５０１には文字情報記憶部ａ５１１、雲台部ｂ５０２には文字情報記憶部ｃ５１２、雲台部ｎ５０３には文字情報記憶部ｍ５１３のように文字情報記憶部を各雲台部に配置することで各雲台部の位置情報に対する文字情報が一対一に対応しているため、各雲台の映像に対する重畳文字を間違いなく取得することが可能となる。
【００２８】
図６を用いて文字情報選択部１０６が操作部１０２に存在する場合について説明する。基本構成は図１と同様で文字情報選択部１０６が操作部１０２に存在している構成となっている。その他は図１と同様のため説明は省略する。
【００２９】
放送局では副調整室にて番組制作用機器を操作し、音声、映像等を調整している。機器類が多数存在するため操作部１０２と文字情報選択部１０６が離れていると、特に生放送では操作部１０２にて雲台部１０１を遠隔操作しながら文字情報選択部１０６にて番組内容に合わせて文字情報を選択することが難しく他の人との連係動作が必要になる。
【００３０】
しかし雲台部１０１の映像を撮っている操作者はどの被写体を撮影しているかを良く分かっているため、操作者が文字情報選択部１０６を操作することが望ましく、文字情報選択部１０６による選択ミスを防ぐことが可能となる。
【００３１】
図７を用いて文字情報記憶部１０５のテーブルについて説明をする。ここでは放送番組内容として報道番組７０２、グルメ番組７０３、教育番組７０４を用いて説明を行う。
【００３２】
報道番組７０２では地名が主に用いられ、グルメ番組７０３では店の名前や特産品名、教育番組７０４では職業名が主に用いられている。しかし雲台情報に対して一つの文字情報しか存在しない場合、特に生放送では映像に合わせて文字情報を書きなおす作業が発生するため誤字脱字があったり、番組内容を取り違えて異なる文字情報を映像に重畳してしまうことがある。
【００３３】
また文字情報記憶部１０５の文字情報を番組内容に合わせて書き直すと再度元の番組内容の情報を使用したい場合は再度設定しなければならないということが発生し、元の情報をメモなどに取っておかなければならないという問題点があった。そこで、雲台部１０１からの雲台情報７０１のＡに基づく同じ映像に対して報道番組７０２では「新宿」という地名、グルメ番組７０３では「割烹○○○」という店名、教育番組７０４では「コック」という職業をテーブルに準備しておく。
【００３４】
同様に雲台情報７０１のＢに対しては、報道番組７０２では「日光」、グルメ番組７０３では日光の特産である「ゆば」、教育番組７０４では「ゆば製造工程」というテーブルを用意し、雲台情報７０１のＣに対しては、報道番組７０２では「富山」、グルメ番組７０３では「ますの寿司」、教育番組７０４では「ますの寿司製造工場」というテーブルを用意しておく。このようなテーブルを用意しておくことにより、雲台部１０１からの雲台情報７０１対して番組内容に応じて重畳文字を書きなおす必要がなくなり、生放送でも番組内容に応じてリアルタイムに切り替えが可能となる。
【００３５】
図８を用いて雲台情報に幅を持たせて文字情報を重畳する場合の説明をする。
【００３６】
図８（ａ）と図８（ｂ）の映像ではパンニング位置が異なっている。しかし報道番組として使用する映像では「新宿」の映像であるため、重畳する文字情報は同じものを使用することが望ましい。そこで雲台情報に幅を持たせて文字情報記憶部１０５に設定することでパンニングしても同じ文字情報が画面に重畳されるため、パンニングによる演出を映像に加えることが可能となる。これはチルトやズーム等による演出も同様である。
【００３７】
図９を用いて文字情報選択部１０６を番組表（スケジュール表）で構成した場合について説明を行う。
【００３８】
放送局におけるスタジオなどで放送番組を撮影する際に雲台を使用した映像を使用する場合、いつどのような雲台映像を使用するかは番組表によって決まっている。そこで図９のような雲台からの映像を使用する時間と番組内容および使用する雲台の番号が記載されている番組表を用意する。そしてこの番組表を管理用コンピュータなどに登録しておき文字情報記憶部１０５の文字を自動的に選択できるように構成しているので、文字情報記憶部１０５の文字を選択する際に人為的ミスをなくすことが可能となる。
【００３９】
例えばバラエティー番組の途中でニュース番組を挟んでも放送する映像に対する重畳文字を間違いなく選択することが可能となる。また文字情報選択部１０６が番組表によって文字情報記憶部１０５の情報を選択している場合、例えばグルメ番組を放送している際に、緊急時、例えば臨時ニュース対応（報道番組用の文字情報を選択）するために、手動で選択可能に構成されている。
【００４０】
また雲台情報はパン、チルト、ズーム、フォーカス、ＩＲＩＳの位置情報の任意の組み合わせによって構成されている。これにより雲台を設置した位置とパン位置により映像の東西南北の方向が分かり、チルト位置により角度情報が分かる。またズーム位置では画角、フォーカス位置で焦点の合っている被写体が分かり、ＩＲＩＳ位置情報で焦点の合っている被写体の深度が分かる。これにより目的とする被写体が具体的に選択可能で雲台情報による文字情報記憶部１０５に設定する文字情報を正確に設定することが可能となる。
【００４１】
このように、雲台情報が同じであっても番組内容に合わせて文字情報をあらかじめ記憶させておくことで、雲台からの同じ映像に対して番組内容に応じて文字情報を重畳することができるため、視聴者に番組内容に応じた文字情報を提供できるようになる。特に生放送では文字情報の切り替えがスムーズに行く必要があるため効果が大きい。
【００４２】
また番組表に応じて文字情報を選択可能にしておくとタイムスケジュールに応じて適切な文字情報を重畳することが可能となる。さらに番組表に応じて文字情報を取得する場合、臨時ニュースなどにより緊急に文字を切り替える必要がある場合でも手動により文字情報を選択できるため、緊急の場合でも番組内容に応じた文字情報を提供することが可能である。
【００４３】
以上、本発明の好ましい実施形態について説明したが、本発明はこれらの実施形態に限定されず、その要旨の範囲内で種々の変形及び変更が可能である。
【符号の説明】
【００４４】
１０１  雲台部、１０２  操作部、１０３  画像処理部、１０４  表示部、
１０５  文字情報記憶部、１０６  文字情報選択部、３０１  サーバー
【図１】
2017204793.tif 000003
【図２（ａ）】
2017204793.tif 000004
【図２（ｂ）】
2017204793.tif 000005
【図３】
2017204793.tif 000006
【図４】
2017204793.tif 000007
【図５】
2017204793.tif 000008
【図６】
2017204793.tif 000009
【図７】
2017204793.tif 000010
【図８】
2017204793.tif 000011
【図９】
2017204793.tif 000012